(57)【要約】      （修正有）【課題】水道管の管径、設置からの経過年数、階の高低に係らず配管系の損傷を防いで効率的で安全性の高い水道管洗浄装置を提供する。【解決手段】水道配管系３内に圧縮空気を送り込んで、洗浄する水道管洗浄装置において、圧縮空気の圧力を洗浄圧力として水道配管系３内へ送り込む洗浄ユニット１と、逆止弁、水圧検知器２１、水栓ノズルを介して圧縮空気を水道配管系内３へ送り込むための入口となる洗浄水栓５へ一端が取り付けられる洗浄ノズル２と、洗浄ユニット１の洗浄口１１と洗浄ノズル２の他端とを接続する洗浄ホース７と、水圧検知器２１によって検知された値に応じて、水道配管系３内へ送り込む洗浄圧力を決定して洗浄ユニット１を制御するプログラマブルコントローラと、を備える。【選択図】図１
0003227595.tif 000002
【実用新案登録請求の範囲】
【請求項１】
水道配管系内に圧縮空気を送り込んで、その衝撃によって管内の汚れや錆を剥離させて洗浄する水道管洗浄装置において、
前記圧縮空気の圧力を洗浄圧力として前記水道配管系内へ送り込む洗浄ユニットと、
逆止弁、水圧検知器、水栓ノズルを介して前記圧縮空気を前記水道配管系内へ送り込むための入口となる洗浄水栓へ一端が取り付けられる洗浄ノズルと、
前記洗浄ユニットの洗浄口と前記洗浄ノズルの他端とを接続する洗浄ホースと、
前記水圧検知器によって検知された値に応じて、前記水道配管系内へ送り込む前記洗浄圧力を決定して前記洗浄ユニットを制御するプログラマブルコントローラと、を備えた水道管洗浄装置。
【請求項２】
前記プログラマブルコントローラは、洗浄モードとして前記洗浄圧力を所定の値とした高圧洗浄モード及び前記洗浄圧力を前記高圧洗浄モードよりも低くした低圧洗浄モードを有したことを特徴とする請求項１に記載の水道管洗浄装置。
【請求項３】
前記プログラマブルコントローラは、前記水圧検知器によって検知された値に応じて、前記洗浄圧力のオンオフ周期を変化させることを特徴とする請求項２に記載の水道管洗浄装置。
【請求項４】
前記プログラマブルコントローラは、前記水圧検知器によって検知された値に応じて、前記洗浄圧力のオンオフのデューティ比を変化させることを特徴とする請求項２又は３に記載の水道管洗浄装置。
【請求項５】
前記洗浄圧力を選択可能とした高圧・低圧切換スイッチを備えたことを特徴とする請求項２から４のいずれか１項に記載の水道管洗浄装置。
【請求項６】
前記洗浄モードは、前記洗浄圧力を変えた２以上の複数系統としたことを特徴とする請求項２から５のいずれか１項に記載の水道管洗浄装置。
【請求項７】
前記高圧洗浄モード及び前記低圧洗浄モードは、前記圧縮空気をパルス状に噴出することを特徴とする請求項２から６のいずれか１項に記載の水道管洗浄装置。
【請求項８】
前記高圧洗浄モード及び前記低圧洗浄モードは、前記圧縮空気を噴出する周期が異なる高頻度洗浄と低頻度洗浄とを有することを特徴とする請求項７に記載の水道管洗浄装置。
【請求項９】
前記高圧洗浄モードあるいは前記低圧洗浄モードは、前記高頻度洗浄と前記低頻度洗浄とをそれぞれ複数回繰り返すことを特徴とする請求項８に記載の水道管洗浄装置。
【請求項１０】
前記洗浄ユニットは、
コンプレッサが接続される吸気口と、
該吸気口から電磁切換弁Ｃを介して接続された電磁切換弁Ａ及び電磁切換弁Ｂと、
前記電磁切換弁Ａに接続された減圧弁Ａと、
前記電磁切換弁Ｂに接続された減圧弁Ｂと、
を有し、前記減圧弁Ａ及び前記減圧弁Ｂは、共に前記洗浄口に接続されることを特徴とする請求項２から５、７から９のいずれか１項に記載の水道管洗浄装置。
【請求項１１】
前記洗浄ユニットの制御は、前記プログラマブルコントローラから前記電磁切換弁Ｃ、前記電磁切換弁Ａ、前記電磁切換弁Ｂへ信号が伝達されることにより行われることを特徴とする請求項１０に記載の水道管洗浄装置。
【請求項１２】
前記減圧弁Ａの出力側に接続され、前記減圧弁Ａで調整された圧力を表示する圧力計Ａと、前記減圧弁Ｂの出力側に接続され、前記減圧弁Ｂで調整された圧力を表示する圧力計Ｂと、を備えたことを特徴とする請求項１０又は１１に記載の水道管洗浄装置。
【請求項１３】
前記プログラマブルコントローラは、操作・表示パネルからの操作信号が入力され、前記洗浄ユニットを制御し、動作表示、エラー表示に関する表示信号を前記操作・表示パネルへ出力することを特徴とする請求項１０から１２のいずれか１項に記載の水道管洗浄装置。
【請求項１４】
前記操作・表示パネルは、前記洗浄圧力を選択可能とした高圧・低圧切換スイッチと、低圧洗浄表示灯と、高圧洗浄表示灯とを有することを特徴とする請求項１３に記載の水道管洗浄装置。
【請求項１５】
前記減圧弁Ａは、前記高圧洗浄モードに対応した高圧、前記減圧弁Ｂは、前記低圧洗浄モードに対応した低圧に圧力設定されたことを特徴とする請求項１０から１４のいずれか１項に記載の水道管洗浄装置。
【考案の詳細な説明】
【技術分野】
【０００１】
本考案は、一戸建て住宅又は集合住宅あるいはマンションの水道管内部の付着物を洗い落すことに好適な水道管洗浄装置に関するものである。
【背景技術】
【０００２】
従来、一戸建て住宅又は集合住宅あるいはマンションの水道管の洗浄を行うため、水道管内に圧縮空気を間欠的に送り込んで、その衝撃によって管内の汚れや錆を剥離させて洗浄することが知られている。
【０００３】
特許文献１は、水道管の洗浄をより短時間で確実に行うために、洗浄しようとする水道管内に不規則な周期でコンプレッサからの圧縮空気を洗浄ユニットへ射出している。そして、それにより管内に不規則な空気及び水の衝撃を生じさせ、給水管内部の汚れや錆をより効果的に除去する装置が記載されている。
【先行技術文献】
【特許文献】
【０００４】
【特許文献１】特開２００４−３２１８４２号公報
【考案の概要】
【考案が解決しようとする課題】
【０００５】
従来、特許文献１に記載のように、圧縮空気を生成するコンプレッサを設け、コンプレッサから供給される断続されたパルス状の圧縮空気を水道管内に供給している。したがって、水道管の洗浄は、水道管の管径、設置からの経過年数、階の高低によって生ずる水圧の相違により、圧縮空気の供給パターンを変える必要があった。
【０００６】
また、通常、コンプレッサは、洗浄ユニットに組み込まれているため、汎用性に欠けており、洗浄の対象により変えることが困難であった。そのため、水道配管系に過剰な圧力を加えて、配管系の損傷を招く恐れがあった。
【０００７】
本考案の目的は、上記従来技術の課題を解決し、圧縮空気源であるコンプレッサの出力を増減できることで汎用性を高め、水道管の管径、設置からの経過年数、階の高低に係らず配管系の損傷を防いで効率的で安全性の高い水道管洗浄装置を提供することにある。
【課題を解決するための手段】
【０００８】
上記課題を解決するため、本考案は、水道配管系内に圧縮空気を送り込んで、その衝撃によって管内の汚れや錆を剥離させて洗浄する水道管洗浄装置において、前記圧縮空気の圧力を洗浄圧力として前記水道配管系内へ送り込む洗浄ユニットと、逆止弁、水圧検知器、水栓ノズルを介して前記圧縮空気を前記水道配管系内へ送り込むための入口となる洗浄水栓へ一端が取り付けられる洗浄ノズルと、前記洗浄ユニットの洗浄口と前記洗浄ノズルの他端とを接続する洗浄ホースと、前記水圧検知器によって検知された値に応じて、前記水道配管系内へ送り込む前記洗浄圧力を決定して前記洗浄ユニットを制御するプログラマブルコントローラと、を備えたものである。
【０００９】
また、上記の水道管洗浄装置において、前記プログラマブルコントローラは、洗浄モードとして前記洗浄圧力を所定の値とした高圧洗浄モード及び前記洗浄圧力を高圧洗浄モードよりも低くした低圧洗浄モードを有したことが望ましい。
【００１０】
さらに、上記の水道管洗浄装置において、前記プログラマブルコントローラは、前記水圧検知器によって検知された値に応じて、前記洗浄圧力のオンオフ周期を変化させることが望ましい。
【００１１】
さらに、上記の水道管洗浄装置において、前記プログラマブルコントローラは、前記水圧検知器によって検知された値に応じて、前記洗浄圧力のオンオフのデューティ比を変化させることが望ましい。
【００１２】
さらに、上記の水道管洗浄装置において、前記洗浄圧力を選択可能とした高圧・低圧切換スイッチを備えたことが望ましい。
【００１３】
さらに、上記の水道管洗浄装置において、前記洗浄モードは、前記洗浄圧力を変えた２以上の複数系統としたことが望ましい。
【００１４】
さらに、上記の水道管洗浄装置において、前記高圧洗浄モード及び前記低圧洗浄モードは、前記圧縮空気をパルス状に噴出することが望ましい。
【００１５】
さらに、上記の水道管洗浄装置において、前記高圧洗浄モード及び前記低圧洗浄モードは、前記圧縮空気を噴出する周期が異なる高頻度洗浄と低頻度洗浄とを有することが望ましい。
【００１６】
さらに、上記の水道管洗浄装置において、前記高圧洗浄モードあるいは前記低圧洗浄モードは、高頻度洗浄と低頻度洗浄とをそれぞれ複数回繰り返すことが望ましい。
【００１７】
さらに、上記の水道管洗浄装置において、前記洗浄ユニットは、コンプレッサが接続される吸気口と、該吸気口から電磁切換弁Ｃを介して接続された電磁切換弁Ａ及び電磁切換弁Ｂと、前記電磁切換弁Ａに接続された減圧弁Ａと、前記電磁切換弁Ｂに接続された減圧弁Ｂと、を有し、前記減圧弁Ａ及び前記減圧弁Ｂは、共に前記洗浄口に接続されることが望ましい。
【００１８】
さらに、上記の水道管洗浄装置において、前記洗浄ユニットの制御は、前記プログラマブルコントローラから前記電磁切換弁Ｃ、前記電磁切換弁Ａ、前記電磁切換弁Ｂへ信号が伝達されることにより行われることが望ましい。
【００１９】
さらに、上記の水道管洗浄装置において、前記減圧弁Ａの出力側に接続され、前記減圧弁Ａで調整された圧力を表示する前記圧力計Ａと、前記減圧弁Ｂの出力側に接続され、前記減圧弁Ｂで調整された圧力を表示する前記圧力計Ｂと、を備えたことが望ましい。
【００２０】
さらに、上記の水道管洗浄装置において、前記プログラマブルコントローラは、操作・表示パネルからの操作信号が入力され、前記洗浄ユニットを制御し、動作表示、エラー表示に関する表示信号を前記操作・表示パネルへ出力することが望ましい。
【００２１】
さらに、上記の水道管洗浄装置において、前記操作・表示パネルは、洗浄圧力を選択可能とした前記高圧・低圧切換スイッチと、低圧洗浄表示灯と、高圧洗浄表示灯とを有することが望ましい。
【００２２】
さらに、上記の水道管洗浄装置において、前記減圧弁Ａは、高圧洗浄モードに対応した高圧、前記減圧弁Ｂは、低圧洗浄モードに対応した低圧に圧力設定されたことが望ましい。
【考案の効果】
【００２３】
本考案によれば、逆止弁２２、水圧検知器２１、水栓ノズル２３を介して圧縮空気を水道配管系３内へ送り込む洗浄ノズルを有し、水圧検知器２１によって検知された値に応じて、送り込む洗浄圧力を決定するので、水道配管系の損傷を防いで効率的で安全性の高い水道管洗浄装置を得ることができる。
【図面の簡単な説明】
【００２４】
【図１】本考案の一実施形態に係る洗浄システムの構成を示す斜視図
【図２】一実施形態に係る洗浄ノズルの詳細を示す斜視図
【図３】一実施形態に係る洗浄ユニット１内部構成を示す斜視図
【図４】一実施形態に係る洗浄ユニットの操作部を示す斜視図
【図５】一実施形態に係る洗浄システムのブロック図
【図６】一実施形態に係る操作・表示パネルの詳細を示す正面図
【図７】一実施形態に係る洗浄ユニットの操作及び動作を示すフローチャート
【図８】一実施形態に係る洗浄ユニットの操作及び動作を示すフローチャート
【図９】一実施形態に係る高圧洗浄モードでの洗浄圧力のタイムチャート
【図１０】一実施形態に係る低圧洗浄モードでの洗浄圧力のタイムチャート
【考案を実施するための形態】
【００２５】
以下、本考案の実施形態について図面を参照して詳細に説明する。図１は、水道配管系３を洗浄するときの洗浄システムの構成を示す斜視図である。水道配管系３は、例えば家庭内配管であり、給水が行われている。洗浄水栓５は、圧縮空気を洗浄対象となる水道配管系３へ送り込むための入口となる。排出水栓４は家庭内の水道配管系３に接続され、洗浄中に開かれて、流下してきた錆やごみを下水等へと流下する。
【００２６】
圧縮空気を生成するコンプレッサ９は、吸気ホース６を介して、洗浄ユニット１の吸気口１０に接続される。洗浄ユニット１は、圧縮空気の圧力を洗浄圧力として水道配管系３内へ送り込む。洗浄ユニット１の出力となる洗浄口１１は、洗浄ホース７の一端、洗浄ノズル２を介して洗浄水栓５へ接続される。
【００２７】
図２は、洗浄ノズル２の詳細を示す斜視図である。洗浄ホース７の他端は、洗浄ノズル２のカプラ２４に接続される。洗浄ノズル２は、逆止弁２２、水圧検知器２１、水栓ノズル２３を介して、洗浄水栓５へ取り付けられる。
【００２８】
図３は洗浄ユニット１の内部構成を示す斜視図、図４は洗浄ユニット１の操作部を示す斜視図、図５は洗浄システムのブロック図である。コンプレッサ９は、吸気口１０に接続され、吸気口１０は、電磁切換弁Ｃ（２０）を介して電磁切換弁Ａ（８）及び電磁切換弁Ｂ（１９）へ接続される。
【００２９】
電磁切換弁Ａ（８）は、減圧弁Ａ（１６）を介して、電磁切換弁Ｂ（１９）は、減圧弁Ｂ（１７）を介して、共に洗浄口１１に接続される。圧力センサ１５は、洗浄口１１の手前に設けられる。圧力計Ａ（１４）は、減圧弁Ａ（１６）の出力側に接続され調整された圧力を測定し表示する。同様に、圧力計Ｂ（１３）は、減圧弁Ｂ（１７）の出力側に接続され調整された圧力を測定し表示する。
【００３０】
洗浄ノズル２の水圧検知器２１は、洗浄する水道配管系３の給水圧力を検知し、その検出値はプログラマブルコントローラ１２に入力される。プログラマブルコントローラ１２は、電源３０によって、供給される電力で稼働が開始される。また、プログラマブルコントローラ１２は、操作・表示パネル４０からの操作信号が入力され、洗浄ユニット１を制御する。さらに、プログラマブルコントローラ１２は、動作表示、エラー表示に関する表示信号を操作・表示パネル４０へ出力する。
【００３１】
洗浄ユニット１の制御は、プログラマブルコントローラ１２から電磁切換弁Ｃ（２０）、電磁切換弁Ａ（８）、電磁切換弁Ｂ（１９）へ信号が伝達されることにより行われる。つまり、プログラマブルコントローラ１２は、水圧検知器２１によって給水圧力を連続的に検知する。そして、プログラマブルコントローラ１２は、検知された値に応じて洗浄ユニット１による水道配管系３へ送り込む洗浄圧力、及び量、又は洗浄圧力のオンオフ周期、あるいはオンオフのデューティ比を変化させる。特に、プログラマブルコントローラ１２は、洗浄モードとして洗浄圧力を所定の値とした高圧洗浄モード及び洗浄圧力を高圧洗浄モードよりも低くした低圧洗浄モードを有し、選択が可能とされている。
【００３２】
図６は、操作・表示パネル４０の詳細を示す正面図である。操作・表示パネル４０は、指令スイッチとして、電源スイッチ４１、洗浄開始・停止スイッチ４２、高圧・低圧切換スイッチ４３を有する。高圧・低圧切換スイッチ４３は、洗浄前に水圧検知器２１により検知された値に応じて、水道配管系３へ送り込む洗浄圧力を選択することを可能とする。
【００３３】
操作・表示パネル４０は、表示として、洗浄開始表示灯４８、洗浄圧力表示計４６、洗浄停止表示灯４９、低圧洗浄表示灯４４、高圧洗浄表示灯４７、圧力異常表示灯４５、洗浄圧力表示計４６を備えている。
【００３４】
洗浄作業に当たって作業者は、洗浄ユニット１を設置し、コンプレッサ９を吸気ホース６により吸気口１０へ繋ぐ。そして、洗浄ノズル２を洗浄水栓５へ連結する。さらに、洗浄ホース７により洗浄口１１をカプラ２４に接続する。次に、水圧検知器２１により検知された水道配管系３の給水圧力を確認する。
【００３５】
さらに、作業者は、検知された給水圧力に応じて、高圧・低圧切換スイッチ４３によって、低圧洗浄モード、高圧洗浄モードのいずれかのモードを選択する。例えば、給水圧力が低い場合は、水の中に空気が噴出され難くなるため、水道配管系３へ送り込む空気の圧力を低くした低圧洗浄モードを選択する。
【００３６】
作業者は、電源スイッチ４１を投入して洗浄ユニット１の運転を開始すると共に、排出水栓４を開き、洗浄操作を開始する。洗浄操作は、設定された低圧洗浄モードあるいは高圧洗浄モードのタイムチャートに従って水道配管系３へ圧縮空気を洗浄圧力として断続的に送り、管壁から剥離した錆や汚れを含んだ水が排出水栓４から流出する。
【００３７】
図７及び図８は、洗浄ユニット１の操作及び動作を示すフローチャート、図９は高圧洗浄モード、図１０は低圧洗浄モードでの洗浄圧力のタイムチャートである。図７において、作業者は、洗浄ユニット１を電源３０に接続し、電源スイッチ４１を入れて、プログラマブルコントローラ１２を起動する。
【００３８】
次に、作業者は、水圧検知器２１により確認した水道配管系３の給水圧力に応じて高圧・低圧切換スイッチ４３にて低圧洗浄モード、高圧洗浄モードのいずれかのモードを選択する。なお、作業者は、洗浄圧力として事前に高圧洗浄モードに対応した減圧弁Ａ（１６）、低圧洗浄モードに対応したした減圧弁Ｂ（１７）の圧力設定を行っておく。また、圧力設定の値は、圧力計Ａ（１４）、圧力計Ｂ（１３）により確認できる。
【００３９】
水道水圧の基準は全国一律であるが、下限は０．１５ＭＰａ、上限は、一般的な塩ビ管で０．７４ＭＰａであり、理想的な水圧は０．２〜０．３９ＭＰａとされている。ただし、これは道路に埋設されている配水管の水圧であり、家庭の蛇口での水圧は上の値から０．１ＭＰａほど減少する。また、各戸で水道を使い始める日中の水圧はやや下がり、上限は０．５ＭＰａ程度である。
【００４０】
したがって、高圧洗浄モードに対応した減圧弁Ａ（１６）の設定圧力は、０．５ＭＰａ、低圧洗浄モードに対応した減圧弁Ｂ（１７）の圧力設定は、０．３ＭＰａに設定することが好ましい。また、洗浄のための空圧エネルギは、コンプレッサ９の出力に依存する。高圧洗浄モード、低圧洗浄モードにおいて、設定した洗浄圧力及びそのタイムチャートの条件で、洗浄圧力を維持するためには、コンプレッサ９の出力は、５００〜８００Ｗとすることが良い。
【００４１】
高圧・低圧切換スイッチ４３が高圧洗浄モードに切換られた場合は、高圧洗浄表示灯４７が点灯し、電磁切換弁Ａ（８）が「入」となる。そして、洗浄開始・停止スイッチ４２がオンされて「入」となり、洗浄ユニット１から水道配管系３へ圧縮空気をパルス状に噴出する。この状態は、ＨＨ時間継続して、高圧洗浄モードの高頻度洗浄が開始される。
【００４２】
電磁切換弁Ｃ（２０）は、ＨＨ時間が経過して「切」となる。この状態は、ＨＨＲ時間経過して電磁切換弁Ｃ（２０）が「入」となる。さらに、電磁切換弁Ｃ（２０）は、ＨＨ時間が経過して「切」となる。以上の高頻度洗浄のルーチンは、複数回、例えばＮＨ回繰り返される。
【００４３】
高頻度洗浄が終了すると、電磁切換弁Ｃ（２０）は、「入」となる。この状態は、ＨＬ時間継続して、高圧洗浄モードの低頻度洗浄が開始される。電磁切換弁Ｃ（２０）は、ＨＬ時間が経過して「切」となる。この状態は、ＨＬＲ時間経過して電磁切換弁Ａ（８）が「入」となる。さらに、電磁切換弁Ａ（８）は、ＨＬ時間が経過して「切」となる。以上の低頻度洗浄のルーチンは複数回、例えばＭＨ回繰り返されて終了する。以上の結果は、図９に示す高圧洗浄モードでの洗浄圧力のタイムチャートに表される。
【００４４】
ＨＨ及びＨＬは、圧縮空気をパルス状に噴出する時間であり、ＨＨＲ、ＨＬＲは、圧縮空気を停止する時間である。したがって、高頻度洗浄と低頻度洗浄は、圧縮空気を噴出する周期が異なることになる。また、低頻度洗浄は、高頻度洗浄に比べて、水道配管系３へ圧縮空気をパルス状に噴出する時間は等しく、圧縮空気を停止する時間は長くなっている。なお、ＨＨは１秒、ＨＨＲは３秒、ＨＬは１秒、ＨＬＲは５秒が望ましい。
【００４５】
高圧・低圧切換スイッチ４３が低圧洗浄モードに切換られた場合は、低圧洗浄表示灯４４が点灯し、電磁切換弁Ｂ（１９）が「入」となる。そして、洗浄開始・停止スイッチ４２がオンされて「入」となる。この状態は、ＬＨ時間継続して、低圧洗浄モードの高頻度洗浄が開始される。電磁切換弁Ｃ（２０）は、ＬＨ時間が経過して「切」となる。この状態は、ＬＨＲ時間経過して電磁切換弁Ｃ（２０）が「入」となる。さらに、電磁切換弁Ｃ（２０）は、ＬＨ時間が経過して「切」となる。以上の高頻度洗浄のルーチンは、複数回、例えばＮＬ回繰り返される。
【００４６】
高頻度洗浄が終了すると、電磁切換弁Ｃ（２０）は、「入」となる。この状態は、ＬＬ時間継続して、低圧洗浄モードの低頻度洗浄が開始される。電磁切換弁Ｃ（２０）は、ＬＬ時間が経過して「切」となる。この状態は、ＬＬＲ時間経過して電磁切換弁Ｃ（２０）が「入」となる。さらに、電磁切換弁Ｂ（１９）は、ＬＬ時間が経過して「切」となる。以上の低頻度洗浄のルーチンは、複数回、例えばＭＬ回繰り返されて終了する。
【００４７】
この結果は、図１０に示す低圧洗浄モードでの洗浄圧力のタイムチャートに表される。ＬＨ及びＬＬは、圧縮空気をパルス状に噴出する時間であり、ＬＨＲ、ＬＬＲは、圧縮空気を停止する時間である。高頻度洗浄と低頻度洗浄との違いは、高圧洗浄モードと同様である。なお、ＬＨは１秒、ＬＨＲは３秒、ＬＬは１秒、ＬＬＲは５秒が望ましい。
【００４８】
高圧洗浄モードあるいは低圧洗浄モードは、高頻度洗浄と低頻度洗浄とをそれぞれ複数回繰り返すことで、高圧洗浄モードあるいは低圧洗浄モードが終了する。その後、作業者は、洗浄開始・停止スイッチ４２をオフしてコンプレッサ９を停止し、電源スイッチ４１を切って洗浄作業を終了する。また、洗浄開始時、あるいは洗浄中に水圧検知器２１により異常圧力が検知された場合は、圧力異常表示灯４５が点灯して洗浄が停止される。特に、洗浄を開始し、所定時間経過しても圧力が上昇せず、圧力センサ１５が作動しない場合、圧力異常表示灯４５が点灯する。なお、圧力異常の原因は、コンプレッサ９、電磁切換弁Ａ（８）、電磁切換弁Ｂ（１９）、減圧弁Ａ（１６）、減圧弁Ｂ（１７）の故障に起因する。
【００４９】
本洗浄システムは、水道配管系３の給水圧力を検知し、水道配管系３へ送り込む圧縮空気の出力を変化させると共に、パルス状に射出、あるいは、その周期を変化させるので、コンプレッサ９からの空気の圧力、量を変化させることになる。
【００５０】
特に、特に水圧が低く水量が少ない水道配管系３は、配管内に供給する空気量が多すぎると、空気が固まりになって配管内を走り、水が全く出なくなったりして、充分な洗浄を行うことができない。このような状況であっても、低圧洗浄モードは、送り込む空気の圧力を低くし、パルス状に射出すると共に、パルスパターンを変化させた高頻度洗浄、低頻度洗浄のルーチンを繰り返すので、確実な洗浄をより効率的に行うことができる。
【００５１】
したがって、本洗浄システムは、（１）コンプレッサ９の出力は、給水圧力に応じて適正化されるので、無駄な大きさとする必要がない。（２）水道配管系３は、過剰な圧力が加わらないので、配管系の損傷を防ぐことができる。（３）アパート、マンション等の集合住宅は、水道配管系３を洗浄する際に、隣家の水道管に影響を与えない。などの効果がある。
【００５２】
また、コンプレッサ９は、洗浄ユニット１と分離可能とされているので、選択の余地が広がり、市販されている多くの機種を利用できる。これにより、本洗浄システムは、（１）洗浄機としての出力が限定されない。（２）コンプレッサ９は、特別な改造を必要としないので、保証に影響がない。（３）コンプレッサ９の安定供給は、懸念がなく、保守も容易となる。（４）洗浄ユニット１は、軽量化され、筐体の強度も低減できるので、安価にできる。（５）コンプレッサ９を保有しているユーザは、それを利用できる。
【００５３】
なお、作業者は、給水圧力を確認してモードを選択するとして説明した。しかし、プログラマブルコントローラ１２は、水圧検知器２１の出力が入力され、モードの選択、あるいは水道配管系３へ送り込む洗浄圧力を水圧検知器２１によって検知された値に応じて、自動的に対応した値に決定することになる。この場合、減圧弁Ａ（１６）、あるいは減圧弁Ｂ（１７）は、設定値を可変可能として、プログラマブルコントローラ１２できめ細かく、かつ連続的に行えるようにすることが良い。
【００５４】
さらに、洗浄モードは、低圧洗浄モード、高圧洗浄モードの二系統として説明したが、二系統に限らず、洗浄圧力を変えた２以上の複数系統として良い。この場合は、電磁切換弁Ａ（８）は、減圧弁Ａ（１６）、圧力計Ａ（１４）、及び電磁切換弁Ｂ（１９）は、減圧弁Ｂ（１７）、圧力計Ｂ（１３）による二系統をさらに増加することになる。
【符号の説明】
【００５５】
１…洗浄ユニット、２…洗浄ノズル、３…水道配管系、４…排出水栓、５…洗浄水栓、６…吸気ホース、７…洗浄ホース、９…コンプレッサ、１０…吸気口、１１…洗浄口、１２…プログラマブルコントローラ、１５…圧力センサ、２１…水圧検知器、２２…逆止弁、２３…水栓ノズル、２４…カプラ、３０…電源、４０…操作・表示パネル、４１…電源スイッチ、４２…洗浄開始・停止スイッチ、４３…高圧・低圧切換スイッチ、４４…低圧洗浄表示灯、４５…圧力異常表示灯、４６…洗浄圧力表示計、４７…高圧洗浄表示灯、４８…洗浄開始表示灯、４９…洗浄停止表示灯、８…電磁切換弁Ａ、１６…減圧弁Ａ、１４…圧力計Ａ、１９…電磁切換弁Ｂ、１７…減圧弁Ｂ、１３…圧力計Ｂ、２０…電磁切換弁Ｃ
【図１】
0003227595.tif 000003
【図２】
0003227595.tif 000004
【図３】
0003227595.tif 000005
【図４】
0003227595.tif 000006
【図５】
0003227595.tif 000007
【図６】
0003227595.tif 000008
【図７】
0003227595.tif 000009
【図８】
0003227595.tif 000010
【図９】
0003227595.tif 000011
【図１０】
0003227595.tif 000012